(57)【特許請求の範囲】
【請求項１】
通信ネットワーク（100）において基本系列を処理する、ネットワークノード（103）における方法であって、
前記ネットワークノード（103）は、第１のユーザ装置（105）と通信し、前記ネットワークノード（103）は、デフォルト基本系列及び代替基本系列に関する情報を有しており、
前記方法は、
前記第１のユーザ装置（105）について、前記デフォルト基本系列を前記代替基本系列で置換すべきであることを判定するステップ（405,505,901）と、
前記判定された基本系列に関する情報を前記第１のユーザ装置（105）へ送出するステップ（406,506,901）と、
を含むことを特徴とする方法。
【請求項２】
前記デフォルト基本系列を前記代替基本系列で置換すべきであることの前記判定は、前記第１のユーザ装置（105）が受けた干渉に関する情報に基づいて、又は前記第１のユーザ装置（105）が干渉を受ける確率に関する情報に基づいて行われる
ことを特徴とする請求項１に記載の方法。
【請求項３】
前記第１のユーザ装置（105）から受信された信号を評価するステップ（401,402,501）と、
前記評価された信号に基づいて、前記通信ネットワーク（100）において前記第１のユーザ装置（105）が干渉を受けることを特定するステップ（403,404,502）と、を更に含み、
前記デフォルト基本系列を前記代替基本系列で置換すべきであることの前記判定（405,505,901）は、前記特定された干渉に基づいて行われる
ことを特徴とする請求項１または２に記載の方法。
【請求項４】
前記評価された信号に基づいて、前記第１のユーザ装置（105）が受けた前記干渉を発生させる第２のユーザ装置（107）を特定するステップ（403,404,503）を更に含み、
前記第２のユーザ装置（107）は、前記代替基本系列として割り当てられる第２の基本系列を用いている
ことを特徴とする請求項３に記載の方法。
【請求項５】
前記信号を評価する前記ステップ（501）は、
前記信号に含まれる基準信号に関連付けられた電力を測定するステップ（402,501a）と、
前記通信ネットワーク（100）における前記第１のユーザ装置（105）の位置を取得するステップ（402,501c）と、
前記基準信号及び前記位置の少なくともいずれかが、それぞれの閾値を下回ることを判定するステップ（402,501d）と、
を含むことを特徴とする請求項３に記載の方法。
【請求項６】
前記代替基本系列に関する情報は、スケジューリング情報を介して、又はＲＲＣシグナリングを介して前記第１のユーザ装置（105）へ送出されることを特徴とする請求項１から５のいずれか１項に記載の方法。
【請求項７】
前記第１のユーザ装置（105）へのスケジューリング情報を介した前記代替基本系列に関する情報の前記送出は、
‐ＤＭＲＳに対する特定のＣＳ／ＯＣＣの組合せに対応するデータビット値の形式のコードポイント、
‐前記代替基本系列のインデックス、または
‐前記代替基本系列
のうちの１つを、前記判定された代替基本系列による前記デフォルト基本系列の置換をトリガするためにスケジューリング・グラントに含めるステップを含む
ことを特徴とする請求項６に記載の方法。
【請求項８】
前記評価された信号に基づいて、前記第１のユーザ装置（105）が受けた前記干渉を発生させる第３のユーザ装置（109）を特定するステップ（403,404,504）と、
前記判定された代替基本系列であって、前記第２の基本系列に対応する代替基本系列に関する情報を、前記第３のユーザ装置（109）に送出するステップ（406,507）と、
前記第１のユーザ装置（105）と前記第３のユーザ装置（109）とを協調スケジューリングするステップ（508）と、
を更に含むことを特徴とする請求項４から７のいずれか１項に記載の方法。
【請求項９】
前記ネットワークノード（103）は、無線チャネル（102）を介して前記第１のユーザ装置（105）と通信し、
前記方法は、前記代替基本系列に基づいて、前記ネットワークノード（103）と前記第１のユーザ装置（105）との間の前記無線チャネル（102）を推定するステップ（510）を更に含む
ことを特徴とする請求項１から８のいずれか１項に記載の方法。
【請求項１０】
前記判定された代替基本系列に関する情報は、前記判定された代替基本系列、又は前記代替基本系列を含むテーブルに対してポインティングするインデックスを含むことを特徴とする請求項１から９のいずれか１項に記載の方法。
【請求項１１】
前記ネットワークノード（103）は、セル（101）をサービングし、前記セル（101）内の前記第１のユーザ装置（105）と通信し、
前記代替基本系列は、ユーザ装置固有の基本系列であり、前記デフォルト基本系列は、セル固有の基本系列である
ことを特徴とする請求項１から１０のいずれか１項に記載の方法。
【請求項１２】
前記代替基本系列に従った基準信号を前記第１のユーザ装置（105）から受信するステップ（509）を更に含むことを特徴とする請求項１から１１のいずれか１項に記載の方法。
【請求項１３】
前記判定された代替基本系列に関する情報を前記第１のユーザ装置（105）へ送出する前記ステップ（406,506）は、無線リソース制御（ＲＲＣ）シグナリングを介して前記代替基本系列を用いて前記第１のユーザ装置（105）を設定するステップを含む
ことを特徴とする請求項１から１２のいずれか１項に記載の方法。
【請求項１４】
通信ネットワーク（100）において基本系列を処理する、ユーザ装置（105）における方法であって、
前記ユーザ装置（105）は、ネットワークノード（103）と通信し、前記ユーザ装置（105）は、デフォルト基本系列を用いており、
前記方法は、
前記デフォルト基本系列を代替基本系列で置換すべきであるという情報を、前記ネットワークノード（103）から受信するステップ（406,702,1001）と、
前記デフォルト基本系列を前記代替基本系列で置換するステップ（703,1002）と、
を含むことを特徴とする方法。
【請求項１５】
干渉を評価するための信号又は干渉の確率を評価するための信号を、前記ネットワークノード（103）へ送出するステップ（401,701）を更に含むことを特徴とする請求項１４に記載の方法。
【請求項１６】
前記ユーザ装置（105）は、前記ネットワークノード（103）によってサービングされるセル（101）内に位置しており、
前記代替基本系列は、ユーザ装置固有の基本系列であり、前記デフォルト基本系列は、セル固有の基本系列である
ことを特徴とする請求項１４または１５に記載の方法。
【請求項１７】
前記代替基本系列に関する情報を受信する前記ステップ（406,702,1001）は、前記ネットワークノード（103）からシグナリングされるＲＲＣ設定で、前記代替基本系列を受信するステップを含む
ことを特徴とする請求項１４から１６のいずれか１項に記載の方法。
【請求項１８】
前記代替基本系列に関する情報を受信する前記ステップ（406,702,1001）は、前記デフォルト基本系列を前記代替基本系列で置換することをトリガする情報を、前記ネットワークノード（103）からのスケジューリング・グラントで受信するステップを含む
ことを特徴とする請求項１４から１７のいずれか１項に記載の方法。
【請求項１９】
前記スケジューリング・グラントは、前記デフォルト基本系列を前記代替基本系列で置換することをトリガするための以下の情報、
‐ＤＭＲＳに対する特定のＣＳ／ＯＣＣの組合せに対応するデータビットの形式のコードポイント、
‐前記代替基本系列のインデックス、または
‐前記代替基本系列
のうちの１つを含む
ことを特徴とする請求項１８に記載の方法。
【請求項２０】
通信ネットワーク（100）における基本系列を処理するネットワークノード（103）であって、
前記ネットワークノード（103）は、第１のユーザ装置（105）と通信し、前記ネットワークノード（103）は、デフォルト基本系列及び代替基本系列に関する情報を有しており、
前記ネットワークノード（103）は、
前記第１のユーザ装置（105）について、前記デフォルト基本系列を前記代替基本系列で置換すべきであることを判定する判定ユニット（601）と、
前記判定された基本系列に関する情報を前記第１のユーザ装置（105）へ送出する送出ユニット（602）と、
を備えることを特徴とするネットワークノード。
【請求項２１】
通信ネットワーク（100）における基本系列を処理するユーザ装置（105）であって、
前記ユーザ装置（105）は、ネットワークノード（103）と通信し、前記ユーザ装置（105）は、デフォルト基本系列を用いており、
前記ユーザ装置（105）は、
前記デフォルト基本系列を代替基本系列で置換すべきであるという情報を、前記ネットワークノード（103）から受信する受信ユニット（801）と、
前記デフォルト基本系列を前記代替基本系列で置換する処理ユニット（805）と、
を備えることを特徴とするユーザ装置。
【発明の詳細な説明】
【技術分野】
【０００１】
本明細書の実施形態は、全体として、ネットワークノード及びネットワークノードにおける方法、並びにユーザ装置及びユーザ装置における方法に関する。特に、通信ネットワークにおいて基本系列を処理することに関する。
【背景技術】
【０００２】
通信システム又は無線通信システムとも呼ばれる一般的なセルラネットワークにおいて、ユーザ装置（ＵＥ）は、無線アクセスネットワーク（ＲＡＮ）を介して１つ以上のコアネットワーク（ＣＮ）と通信する。
【０００３】
ユーザ装置は移動端末であり、加入者は、移動端末により、オペレータのコアネットワークにより提供されるサービス、並びにオペレータのＲＡＮ及びＣＮがアクセスを提供するオペレータネットワークの外側のサービスにアクセスできる。ユーザ装置は、例えば無線機能を有する移動電話、携帯電話又はラップトップ等の通信デバイスであってもよい。ユーザ装置は、無線アクセスネットワークを介して、別の移動局又はサーバ等の別のエンティティと音声及びデータの少なくともいずれかを通信できるポータブルデバイス、ポケット収納可能デバイス、ハンドヘルドデバイス、コンピュータを備えた移動デバイス又は車両搭載移動デバイスであってもよい。
【０００４】
ユーザ装置は、通信ネットワークにおいて有線又は無線で通信できる。通信は、セルラネットワーク内に含まれた無線アクセスネットワーク及び場合によっては１つ以上のコアネットワークを介して、例えば２つのユーザ装置間、ユーザ装置と通常の電話との間、及びユーザ装置とサーバとの間の少なくともいずれかで実行されうる。
【０００５】
通信ネットワークは、複数のセルエリアに分割される地理的エリアをカバーする。各セルエリアは、使用される技術及び用語に応じて、場合によっては「ｅＮＢ」、「ｅノードＢ」、「ノードＢ」、「Ｂノード」等と呼ばれうる無線基地局（ＲＢＳ）、又は基地局トランシーバ（ＢＴＳ）等の基地局（ＢＳ）によってサービングされる。「セル」は、ロング・ターム・エボリューション（ＬＴＥ：Long Term Evolution）等において、いくつかのセル固有のアルゴリズム及び手順に影響を及ぼす「セルＩＤ」によって特徴付けられる。
【０００６】
基地局は、送信電力に基づいて、及びその結果としてセルサイズにも基づいて、例えばマクロｅノードＢ、ホームｅノードＢ又はピコ基地局等の様々な種類の基地局であってもよい。
【０００７】
基地局は、例えばＬＴＥ、ＬＴＥ  Ａｄｖａｎｃｅｄ、広帯域符号分割多元接続（ＷＣＤＭＡ（登録商標））、移動通信用グローバルシステム（ＧＳＭ（登録商標））又は他の何らかの第３世代パートナーシップ・プロジェクト（３ＧＰＰ）無線アクセス技術等の、無線アクセス技術を使用して、無線キャリア又は無線チャネルを介して１つ以上のユーザ装置と通信する。以下の説明では、ＬＴＥを一例として使用する。
【０００８】
基地局は、（１つ以上の）アンテナにおいて複数のユーザ装置から信号を受信する際に、復調のために種々の受信技術を使用しうる。各セル内の多数のユーザ装置からのシンボルを復調するための２つの異なる受信技術は、逐次干渉除去（ＳＩＣ）及び干渉抑圧合成（ＩＲＣ）である。これらの受信技術は、双方とも、各ユーザ装置と各基地局アンテナとの間のチャネルを推定するために、基地局においてベースバンド受信機を必要とする。ベースバンドは、周波数の範囲がほぼ０ヘルツからカットオフ周波数、最大帯域幅又は最高信号周波数までの範囲で測定される、信号及びシステムを示す。ベースバンドは、ほぼゼロから始まる周波数の帯域に対する名詞としても使用されてもよい。チャネル推定値の品質は、ＳＩＣ及びＩＲＣ双方の性能に大いに影響を及ぼす。
【０００９】
基地局は、多数のアンテナを備えていてもよく、多数のアンテナでユーザ端末から信号を受信してもよい。特定のユーザ装置から信号を受信するために、基地局は、ユーザ装置から送信された信号を受信するために使用される基地局アンテナの集合を決定する。このアンテナの集合により受信された信号は、ユーザ装置により送信された信号を復調する「アップリンク受信機」へ送出される。尚、同一のアンテナの集合は、多数のユーザ装置の受信のために使用されてよい。典型的には、アップリンク受信機は、アップリンクで各ユーザ装置から送信される基準信号を使用して、各ユーザ装置と基地局アンテナとの間のアップリンクチャネルを推定する。基地局が特定のユーザ装置からのアップリンクチャネルを推定する場合、ネットワーク内の他のユーザ装置からの基準信号は干渉となり、チャネル推定の精度を低下させる。したがって、一般に、全てのユーザ装置からの基準信号は相互に直交していることが望ましい。ＬＴＥシステムでは、連続した複数のサブキャリアにまたがるある基準信号が与えると、同一の複数のサブキャリアにまたがるもう１つの直交基準信号が、線形位相回転を同一のベース基準信号に加えることによって生成されうる。異なるユーザ装置に対して異なる位相回転を使用することにより、同一の複数のサブキャリアにまたがる、相互に直交する多数の基準信号が生成されうる。
【００１０】
基地局とユーザ装置との間の通信は、使用される技術に応じて種々の方法で構成されうる。例えばＬＴＥにおいて、通信はフレーム及びサブフレームに構成される。ある種類のＬＴＥフレーム、すなわち時分割複信（ＴＤＤ）モードは、全体で１０ｍｓの長さを有する。当該フレームは、２０個の個別のスロットに分割される。サブフレームは２つのスロットを含み、すなわち、当該フレーム内に１０個のサブフレームが存在する。別の種類のＬＴＥフレーム、すなわち周波数分割複信（ＦＤＤ）モードは、各々が全体で５ｍｓの長さを有する２つの半分のフレームを含む。そして、半分のフレームの各々は、各々が１ｍｓの長さの５つのサブフレームに分離される。
【００１１】
ＬＴＥ通信ネットワークは、後方互換性のある方法で種々のリリース、すなわちリリース８／９／１０／１１からのユーザ装置をサポートするように設計される。ＬＴＥネットワーク設計の目的の１つは、時間、周波数及び空間におけるそのようなユーザ装置の協調スケジューリング、すなわちマルチユーザ多入力多出力（ＭＵ−ＭＩＭＯ）を、スケジューリングの制約が可能な限り少ない規模で可能にすることである。
【００１２】
更に、ＬＴＥ規格は、種々の柔軟な展開をサポート可能であるべきである。最新のＬＴＥネットワーク、すなわちリリース１１以上に対して予想される展開のいくつかの例には、例えば以下のものが含まれる。
・典型的には大きなセルが独立した複数のセクタに分割される、マクロ展開。
・例えば高データレートのユーザ装置に対するカバレッジを改善するために、マクロセルのカバレッジ内に複数のピコセルが展開される、ヘテロジニアス（ＨｅｔＮｅｔ）展開。
・高スループットが必要とされる狭いエリアをアクセスポイントがサービングする、ホットスポット・シナリオ。
【００１３】
また、ＬＴＥネットワークは、オプションの協調マルチポイント処理（ＣｏＭＰ）技術を可能にする目的で設計され、ＣｏＭＰ技術では、種々のセクタ及びセルの少なくともいずれかは、例えばスケジューリング及び処理の少なくともいずれかに関して協調された方法で動作する。一例としては、単一のユーザ装置から発信される信号が、典型的には多数の受信点で受信され、リンク品質を改善させるために一緒に処理される、アップリンクＣｏＭＰである。アップリンクＣｏＭＰとも呼ばれるアップリンクジョイント処理により、従来の展開ではセル間干渉とみなされるものを有用な信号に変換できる。したがって、アップリンクＣｏＭＰを利用するＬＴＥネットワークは、ＣｏＭＰゲインを十分に利用するために従来の展開より小さなセルサイズで展開されうる。
【００１４】
ＬＴＥのアップリンクは、コヒーレント処理を想定して設計される。すなわち、受信機は、送信ユーザ装置からの無線チャネルを推定し、且つ、検出段階、すなわち受信された信号の復調においてそのような情報を利用できる。したがって、各送信ユーザは、各アップリンクデータチャネル、すなわち物理上り共有チャネル（ＰＵＳＣＨ）に関連する基準信号（ＲＳ）を送出する。基準信号は、パイロット信号と呼ばれることもあり、送信信号に挿入される。高速フェージング及び他の変化に起因してチャネル状態が変化すると、基準信号はかなり頻繁に送出される。
【００１５】
各基準信号は、グループ・インデックス及び系列インデックスによって特徴付けられる。基準信号は、基本系列から導出される。基本系列から基準信号を導出するために、循環シフトが使用されてもよい。換言すると、複数の基準信号系列が各基本系列から規定される。
【００１６】
基本系列は、リリース８／９／１０においてセル固有であり、セルＩＤの関数である。異なる基本系列は準直交である。基準信号がＰＵＳＣＨ帯域幅の関数となるように、所与のユーザ装置に対する基準信号がＰＵＳＣＨの同一の帯域幅でのみ送信されて、基本系列がそれに対応して生成される。各サブフレームについて、２つの基準信号がスロット毎に１つ送信される。
【００１７】
２種類のアップリンク基準信号、すなわち復調基準信号（ＤＭＲＳ）及びサウンディング基準信号（ＳＲＳ）がある。復調基準信号は、データ復調用のチャネル推定のために使用され、サウンディング基準信号は、ユーザ・スケジューリングのために使用される。
【００１８】
同一のセル内の異なるユーザ装置からの基準信号は、潜在的に互いに干渉し、同期型ネットワークであると仮定すると、当該基準信号は、隣接セル内のユーザ装置によって発信された基準信号とでさえ干渉する。基準信号間の干渉のレベルを制限するために、直交基準信号又は準直交基準信号を可能にするように、種々のＬＴＥリリースにおいて種々の技術が導入されている。いわゆる「系列プランニング（sequence planning）」により複数のセルのアグリゲーションを行うために直交基準信号が実現されてもよいが、ＬＴＥの設計原理は、各セル内での直交基準信号及び異なるセル間での準直交基準信号を想定する。
【００１９】
直交基準信号は、リリース８／９における循環シフト（ＣＳ：Cyclic Shift）の使用によって、又はリリース１０における直交カバーコード（ＯＣＣ：Orthogonal Cover Codes）と組み合わせたＣＳによって実現されうる。ＣＳ及びＯＣＣは、更に、リリース１１のユーザ装置によってサポートされてもよいことが想定されている。
【００２０】
循環シフトは、循環タイムシフトに基づいて、特定の伝搬条件下で、同一の基本系列から生成された複数の基準信号間において直交性を実現する方法である。実際にはチャネル伝搬特性に依存して８個未満の直交基準信号が実現されうるものの、８個の異なる循環シフト値のみが、リリース８／９／１０においてインデックスを付されてもよい。循環シフトは、完全に重なり合う帯域幅に割り当てられた基準信号を多重化するのに有用であるが、帯域幅が異なる場合、及び干渉するユーザ装置が別の基本系列を採用する場合の少なくともいずれかにおいては直交性が失われる。
【００２１】
ＯＣＣは、各アップリンクサブフレームに対して設けられた２つの基準信号上で動作する、直交時間領域コードに基づく多重化技術である。ＯＣＣコード［１  −１］は、干渉する基準信号を、基地局整合フィルタの後の当該信号の寄与が同一サブフレームの双方の基準信号に対して同一である限り抑圧できる。同様に、ＯＣＣコード［１  １］は、干渉する基準信号を、基地局整合フィルタの後の当該信号の寄与が同一サブフレームの２つの基準信号に対してそれぞれ反対の符号を有する限り抑圧できる。以下では、整合フィルタについて更に詳細に説明する。
【００２２】
基本系列は準静的に割り当てられる一方で、ＣＳ及びＯＣＣは、ユーザ装置固有であり、アップリンクＰＵＳＣＨ送信毎のスケジューリング・グラントの一部として動的に割り当てられる。
【００２３】
ジョイント処理技術はＰＵＳＣＨに対して適用されうるが、基準信号に基づくチャネル推定は、アップリンクＣｏＭＰの場合でも、典型的には各受信点において独立して実行される。したがって、特に基準信号の場合、干渉レベルを許容できる低いレベルに維持することが非常に重要である。
【００２４】
基準信号に対するバースト干渉ピークの影響を最小限にするために、ＬＴＥでは干渉ランダム化技術が導入されている。特に、
・循環シフトランダム化は、常に有効にされ、スロット毎にランダムなセル固有の循環シフト・オフセットを生成する。擬似ランダムＣＳパターンは基本系列インデックスの関数であり、このためセルＩＤはセル固有である。
・系列グループホッピング（ＳＧＨ：Sequence and Group Hopping）は、セルＩＤ及び系列インデックスの関数であるセル固有のパターンを用いてスロットレベルで動作する基本系列インデックス・ランダム化技術である。
‐リリース８／９のユーザ装置の場合、ＳＧＨは、セル毎に有効／無効にされうる。
‐リリース１０のユーザ装置の場合、ＳＧＨは、ユーザ装置固有の方法で有効にされうる。
【００２５】
ＬＴＥ  リリース１０についてのアップリンクでは、通信システムのデータレート及び信頼性を著しく改善させうるマルチアンテナ技術が導入される。送信機及び受信機の双方が多数のアンテナを備えている場合、性能は特に改善する。この結果、ＭＩＭＯ通信チャネルが得られ、そのようなシステム及び関連技術の少なくともいずれかはＭＩＭＯと呼ばれる。
【００２６】
ＬＴＥ  リリース１０は、単一のユーザ装置から基地局への通信において空間多重モード、すなわちシングルユーザ−ＭＩＭＯ（ＳＵ−ＭＩＭＯ）をサポートしている。ＳＵ−ＭＩＭＯは、好都合なチャネル状態における高データレートを目標とする。ＳＵ−ＭＩＭＯは、同一の帯域幅における多数のデータストリームの同時送信を含み、各データストリームは、通常、レイヤと呼ばれる。空間領域においてレイヤを区別し、且つ、送信されたデータを受信機側で再生できるようにするために、線形プリコーディング等のマルチアンテナ技術が送信機において採用される。
【００２７】
ＬＴＥ  リリース１０によりサポートされた別のＭＩＭＯ技術は、同一セルに属する多数のＵＥが同一の帯域幅及びタイムスロット上で完全に又は部分的に協調スケジューリングされるＭＵ−ＭＩＭＯである。ＭＵ−ＭＩＭＯ構成における各ＵＥは、場合によっては多数のレイヤを送信してもよく、それ故にＳＵ−ＭＩＭＯモードで動作する。
【００２８】
ＳＵ−ＭＩＭＯの場合、全てのデータストリームを検出できるようにするために、各ユーザ装置の各送信レイヤに関連付けられた等価チャネルを受信機が推定できるようにする必要がある。ＣｏＭＰの場合、そのような要求条件は、他のセルに属するがジョイント処理クラスタに含まれるユーザ装置にも当てはまる。したがって、各ユーザ装置は、少なくとも送信レイヤ毎に固有の基準信号を送信する必要がある。基地局受信機は、各レイヤに対してどの基準信号が関連付けられるかを認識しており、チャネル推定アルゴリズムを実行することによって、関連するチャネルを推定する。その後、推定されたチャネルは、受信機によって検出処理において用いられる。
【００２９】
ＭＵ−ＭＩＭＯの場合、ユーザ装置は、完全に又は部分的に重なり合う帯域幅でスケジューリングされうる。いくつかの典型的なアプリケーションの例を以下に例示する。
・セル内、完全に重なり合う帯域幅内のＭＵ−ＭＩＭＯ：この場合、異なるユーザ装置の基準信号が、ＣＳ及びＯＣＣの少なくともいずれかを利用して多重化されうる。更にＳＧＨが、直交性に影響を及ぼすことなく有効にされうる。
・セル内、部分的に重なり合う帯域幅内のＭＵ−ＭＩＭＯ：この場合、異なるユーザ装置の基準信号が、ＯＣＣのみを利用して多重化されうるとともに、ＳＧＨは、いかなるユーザ装置に対しても有効にされえない。
・例えばＣｏＭＰアプリケーションにおける、異なるセルに属するユーザ装置のＭＵ−ＭＩＭＯ：この場合、複数のユーザ装置に対して典型的には異なる基本系列が割り当てられ、異なるＣＳホッピングパターンに起因して直交性を実現できない。
【００３０】
上述の展開及びアップリンクＣｏＭＰの多用には、別のセルに属する地理的に遠く離れたユーザ装置に対しても、スケジューリングの柔軟性及び改善されたチャネル推定品質が必要である。例えばＨｅｔＮｅｔ展開を想定すると、ピコセルの小さなセル半径と、マクロセルのカバレッジ内の地理的位置は、そのようなセルに属するユーザ装置間の潜在的に強力な干渉の存在を示唆する。一方、セルの高密度化、増加する受信アンテナ数、及びオプションのＣｏＭＰ処理は、柔軟なＭＵ−ＭＩＭＯスケジューリングの必要性を強調する。上述のシナリオでは、ＳＧＨを無効にすることによって、セル間干渉ピークのリスクが高まる。
【発明の概要】
【００３１】
同一のネットワークにおいてリリース８／９／１０以上の多数のユーザ装置が混在することは、特定のリリースに関係なくそのようなユーザ装置をシームレスに協調スケジューリングする必要性を強調する。しかし、直交カバーコード（ＯＣＣ）及び循環シフト（ＣＳ）のどちらもそのようなシナリオにおいては有用ではなく、且つ、準直交性のみしか実現できないために、対となっているユーザ装置が異なる基本系列を割り当てられた場合、ＭＵ−ＭＩＭＯは、系列グループホッピング（ＳＧＨ）に関連してリリース８／９／１０において効果的ではない。
【００３２】
一例としては、２つのユーザ装置ＵＥ１及びＵＥ２が同一の帯域幅で協調スケジューリングされる場合を検討するとともに、ＵＥ１及びＵＥ２が異なるセルに属し、且つ、同一の基本系列が割りてられていないことを検討する。一例は、ｈｅｔｎｅｔ  ＬＴＥシナリオにおいて、ＵＥ１がマクロセルに属し、且つ、ＵＥ２がピコセルに属することである。Ｓ１及びＳ２のそれぞれに関連付けられた基本系列が異なるため、セルエッジ干渉の結果として生じる性能劣化によってＵＥ間の直交性を実現できない。
【００３３】
解決策は、リリース１０のユーザ装置のうちのいくつかについてユーザ装置固有の方法でＳＧＨを無効にすることであってもよい。しかし、ＳＧＨは、リリース８／９のユーザ装置についてセル固有の方法で無効にされてもよく、これは、セル間干渉の大きな劣化を伴う、リリース１０のユーザ装置についてもセル固有のＳＧＨを無効にすることを示す。
【００３４】
別の解決策は、同一の基本系列及びその結果としてＳＧＨパターンを、例えばマクロセル及び当該マクロセルのカバレッジ内のピコセル等の干渉するセルに割り当てることであってもよい。しかし、問題は、例えばＳＧＨランダム化の減少、同一の基本系列を有するユーザ装置が部分的に重なり合う帯域幅でスケジューリングされる際に発生した予測不能に大きな干渉ピーク、及び、復調基準信号（ＤＭＲＳ）の容量の限界等の、そのような解決策と関連付けられており、ＣＳ及びＯＣＣのみが、アグリゲーションされたセルに対してＤＭＲＳを直交させるために用いられてもよい。
【００３５】
したがって、本明細書の実施形態の目的は、上述の欠点のうちの少なくとも１つを取り除き、且つ、通信ネットワークにおいて改善されたチャネル推定を提供することである。
【００３６】
第１の態様によると、本目的は、通信ネットワークにおいて基本系列を処理する、ネットワークノードにおける方法によって達成される。ネットワークノードは、第１のユーザ装置と通信する。ネットワークノードは、デフォルト基本系列及び代替基本系列に関する情報を有している。ネットワークノードは、第１のユーザ装置について、デフォルト基本系列を代替基本系列で置換すべきであることを判定する。ネットワークノードは、判定された基本系列に関する情報を第１のユーザ装置へ送出する。
【００３７】
第２の態様によると、本目的は、通信ネットワークにおいて基本系列を処理する、ユーザ装置における方法によって達成される。ユーザ装置は、ネットワークノードと通信する。ユーザ装置は、デフォルト基本系列を用いている。ユーザ装置は、デフォルト基本系列を代替基本系列で置換すべきであるという情報を、ネットワークノードから受信する。ユーザ装置は、デフォルト基本系列を代替基本系列で置換する。
【００３８】
第３の態様によると、本目的は、通信ネットワークにおける基本系列を処理するネットワークノードによって達成される。ネットワークノードは、第１のユーザ装置と通信する。ネットワークノードは、デフォルト基本系列及び代替基本系列に関する情報を有している。ネットワークノードは、第１のユーザ装置について、デフォルト基本系列を代替基本系列で置換すべきであることを判定する判定ユニットを備える。ネットワークノードは、判定された基本系列に関する情報を第１のユーザ装置へ送出する送出ユニットを更に備える。
【００３９】
第４の態様によると、本目的は、通信ネットワークにおける基本系列を処理するユーザ装置によって達成される。ユーザ装置は、ネットワークノードと通信する。ユーザ装置は、デフォルト基本系列を用いている。ユーザ装置は、デフォルト基本系列を代替基本系列で置換すべきであるという情報を、ネットワークノードから受信する受信ユニットを備える。ユーザ装置は、デフォルト基本系列を代替基本系列で置換する処理ユニットを更に備える。
【００４０】
本明細書の実施形態は多くの利点を提供する。多くの利点の例の限定的なリストは以下の通りである。
【００４１】
本明細書の１つ又はいくつかの実施形態は、最低限の複雑性を提供するとともに、リリース８／９／１０のＵＥに実装される系列グループホッピング（ＳＧＨ）の系列の再利用を可能にするという利点を提供する。
【００４２】
更に、本明細書の１つ又はいくつかの実施形態は、ＭＵ−ＭＩＭＯに対してＳＧＨを有効にすることで基準信号の干渉を低減するという利点を提供する。
【００４３】
また、本明細書の１つ又はいくつかの実施形態は、ＭＵ−ＭＩＭＯに対して、改善されたスケジューリングの柔軟性という利点を提供する。
【００４４】
本明細書の実施形態のうちの少なくとも１つは、異なるリリースのユーザ装置間、例えばリリース１１  ＬＴＥのユーザ装置とそれ以前のＬＴＥリリースからのユーザ装置との間で、ＳＧＨを無効にすることなくＭＵ−ＭＩＭＯを可能にするという利点を提供する。
【００４５】
更に他の実施形態では、セルエッジ干渉に起因する、結果として生じる性能劣化なしで、ユーザ装置間の直交性を実現できる。
【００４６】
本明細書のいくつかの実施形態は、シグナリング・オーバヘッドを最小限にし、スケジューリング割り当てにおける柔軟性を維持する。
【００４７】
本明細書の実施形態は上述の特徴及び利点に限定されない。以下の詳細な説明を読むことにより、追加の特徴及び利点が当業者には認識されるだろう。
【００４８】
スケジューリング・グラントによって動的にトリガされうる代替基本系列を導入することによって、リリース８／９／１０／１１のＵＥのいずれかとの、リリース１１のユーザ装置の改善されたＲＳ直交性を実現できる。代替基本系列への切り替えが示される場合にはいつでも、ＳＧＨ及びＣＳホッピング用のホッピングオフセット等の、基本系列に固有のあらゆるパラメータが、それに対応して動的に調整される。代替系列を、例えばＣｏＭＰ設定に対して適切に選択することによって、リリース８／９／１０のユーザ装置及びリリース１１のユーザ装置との、リリース１１のユーザ装置の完璧な又は少なくとも完璧に近いＲＳ直交性を実現できる。その結果、従来技術とは異なり、ＳＧＨがリリース８／９／１０のユーザ装置に対して有効及び無効にされる場合の双方において直交性が実現される。
【００４９】
本明細書の実施形態は上述の特徴及び利点に限定されない。以下の詳細な説明を読むことにより、追加の特徴及び利点が当業者には認識されるだろう。
【図面の簡単な説明】
【００５０】
次に、実施形態を示す添付の図面を参照することにより、以下の詳細な説明で本明細書の実施形態をより詳細に更に説明する。
【００５１】
【図１】、
【図１ａ】図１及び図１ａは、それぞれ、通信ネットワークの実施形態を示す概略ブロック図である。
【図２】図２は、ＵＥ１に対するＵＬ−ＤＭＲＳサブフレームの実施形態を示す概略ブロック図である。
【図３】図３は、ＵＥ２に対するＵＬ−ＤＭＲＳサブフレームの実施形態を示す概略ブロック図である。
【図４】図４は、方法の実施形態を示す、シグナリング図とフローチャートとを組み合わせた図である。
【図５】図５は、ネットワークノードにおける方法の実施形態を示すフローチャートである。
【図６】図６は、ネットワークノードの実施形態を示す概略ブロック図である。
【図７】図７は、ユーザ装置における方法の実施形態を示すフローチャートである。
【図８】図８は、ユーザ装置の実施形態を示す概略ブロック図である。
【図９】図９は、ネットワークノードにおける方法の実施形態を示すフローチャートである。
【図１０】図１０は、ユーザ装置における方法の実施形態を示すフローチャートである。
【００５２】
図面は必ずしも縮尺通りではなく、明確化のため特定の特徴の大きさを実際よりも大きく見せている場合がある。本明細書の実施形態の原理を示すことに重点が置かれている。
【発明を実施するための形態】
【００５３】
図１及び図１ａは、それぞれ、複数のセルを含むＣｏＭＰネットワークのようなマルチセルシナリオのための復調基準信号（ＤＭＲＳ）パターンのシグナリングに関連する本明細書の実施形態が実装されうる通信ネットワーク１００を示す。通信ネットワーク１００は、いくつかの実施形態において、例えばＬＴＥ、ＬＴＥ  Ａｄｖａｎｃｅｄ、ＷＣＤＭＡ、ＧＳＭ又は他の何らかの３ＧＰＰ無線アクセス技術等の１つ以上の無線アクセス技術に当てはまりうる。
【００５４】
通信ネットワーク１００は、例えばセル１０１をサービングする基地局１０３等のネットワークノードを含む。基地局１０３は、使用される技術及び用語に応じて無線基地局、ノードＢ及び進化型ノードＢ（ｅＮＢ）等の基地局であり、あるいは無線キャリア１０２を介してセル１０１内に存在する第１のユーザ装置１０５と通信できる他の何らかのネットワークユニットであってもよい。更に無線キャリア１０２は、キャリア、無線チャネル、チャネル、通信リンク、無線リンク又はリンクと呼ばれうる。基地局１０３は、送信電力に基づいて、及びその結果としてセルサイズにも基づいて、様々なクラスの基地局であってもよく、例えばｅノードＢ等のマクロ基地局、あるいは、例えばホームｅノードＢ、ピコ基地局、フェムト基地局等の低電力基地局である。図１及び図１ａは１つのセル１０１をサービングする基地局１０３を示しているが、基地局１０３は、２つ以上のセル１０１をサービングしてもよい。通信ネットワーク１００は、第２のユーザ装置１０７及び第３のユーザ装置１０９を更に備えてもよい。いくつかの実施形態において、第２のユーザ装置１０７及び第３のユーザ装置１０９は、第１のユーザ装置１０５と同一のセル１０１内に存在し、同一の基地局１０３によってサービングされる。他の実施形態では、第１のユーザ装置１０５及び第３のユーザ装置１０９はあるセル内に位置しており、第２のユーザ装置１０７は別のセルに位置しているが、それらは、それでも同一のＣｏＭＰスケジューリング・クラスタに属していてもよく、すなわち、それらは隣接セルに位置している（図１ａ）。
【００５５】
通信ネットワーク１００は、例えばセル１０１等のセルに分割されうる。セルを使用する理由は、通信ネットワーク１００がセルラ通信ネットワークと呼ばれうるためである。セルは、セル１０１をサービングする基地局１０３がセル１０１内に存在するユーザ装置１０５に無線カバレッジを提供する地理的エリアである。セル１０１は、種々のサイズであってよく、例えば、典型的には制限されたエリアをカバーするマイクロセル、典型的には狭いエリアをカバーするピコセル、典型的には家又は小さな事業所で使用するために設計されるフェムトセル、あるいは、典型的にはマイクロセルより大きなカバレッジを提供するマクロセル等である。
【００５６】
セル１０１内に存在し、且つ、基地局１０３によってサービングされるユーザ装置１０５は、この場合には、無線キャリア１０２を介して基地局１０３と通信できる。データストリームは、階層化アプローチにおいて無線チャネル１０２を介して基地局１０３とユーザ装置１０５との間で通信される。階層の例は、物理層、データリンク層、ネットワーク層、トランスポート層、セッション層等である。
【００５７】
ユーザ装置１０５は、無線チャネル１０２を介して基地局１０３と通信できる通信機能を有する任意のあらゆる適切な通信デバイス又は計算デバイスであり、例えば移動電話、スマートフォン、パーソナルデジタルアシスタント（ＰＤＡ）、ラップトップ、ＭＰ３プレーヤ又はポータブルＤＶＤプレーヤ（又は同様のメディアコンテンツデバイス）、デジタルカメラ、あるいは更にはＰＣ等の固定装置であるが、それらに限定されない。ＰＣは、ブロードキャスト／マルチキャストメディアの端局である移動局を介して更に接続されてもよい。ユーザ装置１０５は、電子写真フレーム等に組み込まれた通信デバイス、心臓監視機器、侵入又は他の監視機器、天気データ監視システム、車両、自動車又は輸送通信機器等であってもよい。ユーザ装置１０５は、図面のうちのいくつかにおいてＵＥとして示される。簡略化するために図１及び図１ａでは１つのユーザ装置１０５しか示されないが、それぞれの基地局１０３は、複数のユーザ装置１０５の集合に対してサービングしてもよい。
【００５８】
尚、基地局１０３とユーザ装置１０５との間の無線キャリア１０２は、有線リンク又は無線リンクを含む任意の適切な種類のものである。当業者により理解されるように、キャリア１０２は、レイヤの種類及びレベルに依存して、例えば開放型システム間相互接続基本参照（ＯＳＩ）モデルにより示されるような、任意の適切なプロトコルを使用しうる。
【００５９】
以下の説明は、ダウンリンク（ＤＬ）及び例えば上述したようなプロトコル等の他の通信プロトコルにも適用されうるが、ＬＴＥ  リリース１１ネットワークのアップリンク（ＵＬ）伝送路を一例として使用する。アップリンク（ＵＬ）はユーザ装置から基地局へのリンクであり、ダウンリンク（ＤＬ）は基地局からユーザ装置へのリンクである。
【００６０】
図２に示されるように、ＬＴＥ  リリース８／９／１０に基づいて第１のユーザ装置ＵＥ１により送信され、且つ、２つのＤＭＲＳ（スロット毎にそれぞれ１つのＤＭＲＳ）が与えられたサブフレームＳ１について検討する。図２は、第１のユーザ装置ＵＥ１に対するＵＬ−ＤＭＲＳサブフレームについての単一の送信レイヤを示す。ＤＭＲＳは基準信号（ＲＳ）とも呼ばれうる。一般性を損なうことなく、以下では信号の時間領域表現が提供されるが、同等の原理を周波数領域処理に対して適用できる。図２のｘ軸は、例えば秒単位で時間を示す。ｓ１をスロット１についてのＤＭＲＳ基本系列、ｓ２をスロット２についてのＤＭＲＳ基本系列とする。マルチアンテナ送信の場合。
【００６１】
次に、図３に示されるような第２のＬＴＥサブフレームＳ２について検討する。図３において、２つのスロットについてのＤＭＲＳ基本系列は、それぞれｓ３及びｓ４である。第２のＬＴＥサブフレームＳ２は、第２のＬＴＥユーザ装置ＵＥ２によって送信される。図３は、第２のユーザ装置ＵＥ２についてのアップリンクＤＭＲＳサブフレームを示し、例えば秒単位で時間を示すｘ軸を有する。
【００６２】
ＳＧＨが有効にされることを想定すると、サブフレームＳ１及びＳ２は、両スロットに異なる基本系列を有し、ｓ１、ｓ２、ｓ３及びｓ４は、事前に定義されたの基本系列の集合から擬似ランダムに選択された、準直交の基本系列である。
【００６３】
次に、２つのユーザ装置ＵＥ１及びＵＥ２がそれぞれ、同一の帯域幅で協調スケジューリングされ、例えば、ＵＥ１＝第１のユーザ装置１０５及びＵＥ２＝第２のユーザ装置１０７である例を検討する。更に、一例として、ＵＥ１及びＵＥ２が、異なるセルに属し（例えば、図１ａを参照）、且つ、同一の基本系列を割り当てられないことを検討する。一例は、ｈｅｔｎｅｔ  ＬＴＥシナリオにおいて、ＵＥ１がマクロセルに属し、ＵＥ２がピコセルに属することである。ＵＥ１用のサブフレームＳ１及びＵＥ２用のサブフレームＳ２にそれぞれ関連付けられている基本系列が異なるため、ＵＥ間の直交性は、セルエッジ干渉に起因して結果として生じる性能劣化によって実現できない。
【００６４】
同一の時間‐周波数リソースブロックでユーザ装置を協調スケジューリングすることは、通信ネットワークにおいて使用可能なリソースをより効率的に使用するために利用される技術である。簡略化のため、上述の例は協調スケジューリングされた２つのユーザ装置ＵＥ１及びＵＥ２を含むが、本明細書の実施形態は、あらゆるＬＴＥリリースからの任意の数の協調スケジューリングされたユーザ装置に適用できる。
【００６５】
上述の問題は、セルのある特定のＵＥによって用いられている基本系列を、デフォルトで設定されたセル固有の基本系列から、ＵＥ固有の基本系列である異なる基本系列、すなわち代替基本系列に、任意的に切り替えることによって、本明細書で説明する実施形態を用いて解決される。代替基本系列は、干渉の状況に応じてＵＥ毎に設定される。すなわち、セルの１つ以上のＵＥが、隣接セルによって干渉されているか、あるいは、ＭＵ−ＭＩＭＯシナリオにおいて種々の基本系列を与えられるときに同一セル内で互いに干渉する可能性がある場合には、当該セルのこれらのＵＥは、代替基本系列を割り当てられる。したがって、代替基本系列は、サービングセルのセル固有のパラメータに依存しないために「ＵＥに固有」となり、これは、デフォルトのセル固有基本系列の場合である。
【００６６】
ある典型的な実施形態の構成では、代替基本系列は、隣接セルについてのデフォルト基本系列（ＳＧＨ及びＣＳホッピングの基本系列ランダム化を含む）に一致する。上述の例の場合、ＵＥ１ついての代替基本系列は、隣接セルで使用されるデフォルト基本系列、すなわちＵＥ２によって使用されるデフォルト基本系列となる。
【００６７】
本明細書の実施形態は、スケジューリング・グラントによって動的にトリガ又は起動されうる代替基本系列を使用することを導入する。当該代替基本系列のインデックスは、準静的な方法で（例えばＲＲＣ上位層シグナリングによって）知らされるか又は設定されてもよい。これにより、選択された基本系列を動的に知らせるために必要となるシグナリング・オーバヘッドが最小限になり、割り当てのスケジューリングにおける柔軟性が維持される。
【００６８】
代替基本系列への切り替えがトリガされる場合にはいつでも、ＳＧＨ及びＣＳホッピング用のホッピングオフセット等の、基本系列に固有のあらゆるパラメータが、それに対応して動的に調整される。
【００６９】
代替系列を、例えばＣｏＭＰ設定に対して適切に選択することによって、リリース８／９／１０のＵＥ及びリリース１１のＵＥとの、リリース１１のＵＥの完璧な又は少なくとも完璧に近いＲＳ直交性を実現できる。ＳＧＨがリリース８／９／１０のＵＥに対して有効及び無効にされる場合の双方において直交性が実現される。
【００７０】
図１は１つのセル１０１しか示していないが、通信ネットワーク１００が複数のセル１０１も含んでもよいことは当業者には明らかである。図１ａは、それぞれのネットワークノード１０３によって各々がサービングされる２つのセル１０１を通信ネットワーク１００が含む例を示している。複数のセル１０１を含む通信ネットワーク１００は、従来技術において周知のように種々の方法で構成可能である。通信ネットワーク１００は、例えば、１つ以上のピコセルを含むマクロセルを有するヘテロジニアス・ネットワーク（heterogeneous network）、すなわちいわゆるｈｅｔｎｅｔとして構成可能である。あるいは、通信ネットワーク１００は、１つ以上の基地局によってサービングされる２つ以上のマクロセルを含む同種ネットワーク（homogenous network）、すなわちマクロ展開として構成可能であり、あるいは、高いスループットが必要とされる狭いエリアをアクセスポイントがサービングする、いわゆるホットスポット・シナリオに対処するように構成可能である。
【００７１】
ネットワークノード１０３は、セルによってサービングされるユーザ装置１０５が用いるデフォルト基本系列に関する情報を有する。いくつかの実施形態では、ネットワークノード１０３は、各隣接セルに位置する各ユーザ装置によってそれぞれが用いられる、複数の隣接セルのデフォルト基本系列に関する情報を有する。デフォルト基本系列に関する情報は、実際の基本系列の形式で、又は（複数の）デフォルト基本系列を含むテーブルに対する各インデックスのポインティングとして、ノード１０３に格納されうる。セル１０１の各デフォルト基本系列は、セル１０１に共通であり、セル１０１によってサービングされている各ユーザ装置においてデフォルトで設定又は構成される。例えば、基本系列の一例として、３ＧＰＰ技術仕様書ＴＳ３６．２１１の５．５節を参照されたい。
【００７２】
図４は、シグナリング図とフローチャートとを組み合わせたものであり、ネットワークノード１０３と、ＵＥ１０５、１０７、１０９の１つ以上の集合とを含む通信ネットワーク１００において、以下の方法ステップ４０１〜４０８による、基本系列を処理する方法の実施形態を示している。通信ネットワーク１００は、互いに隣接セルである１つ以上のセル１０１、すなわち互いに近接して又は部分的に重なり合って配置される１つ以上のセル１０１をサービングする１つ以上のネットワークノード１０３を含みうる。この場合、ＵＥ１０５、１０７及び１０９の個別の集合は、（図１に示した）同一のセル１０１に属していてもよいし、部分的に同一のセル（図１ａ）に属してもよいし、又は、それぞれが個別の異なるセル（不図示）に属してもよい。
【００７３】
ステップ４０１
ネットワークノード１０３は、通信ネットワーク１００に属する受信点のうちのいくつかにおいて、ネットワーク１００に含まれるユーザ装置１０５、１０７、１０９の集合から信号を受信する。ネットワークノード１０３は中央スケジューリングユニットＣＳＵであってもよく、ＣＳＵは、ネットワーク１００において協調セル（coordinated cells）のグループ、すなわちＣｏＭＰクラスタに対する無線リソース管理（ＲＲＭ）の少なくともいくつかの態様を制御するスケジューラである。いくつかの実施形態において、ネットワークノード１０３は、中央スケジューリングユニットを備える基地局である。以下の説明では、ネットワークノード１０３という用語が使用される。ユーザ装置１０５、１０７、１０９の集合は、１つ以上のネットワークノード１０３によってサービングされる１つ以上のセル１０１内で分散した１つ以上のユーザ装置から成っていてもよい。
【００７４】
ステップ４０２
ネットワークノード１０３は、ネットワーク１００に属する１つ以上の受信点において、ネットワーク１００内のユーザ装置１０５、１０７、１０９のうちの１つ以上から受信した信号の１つ以上の特性を測定する。受信点は、ＵＬ  ＣｏＭＰのために協働する全てのノード又はノードの部分集合に関連付けられうる。測定された特性は、例えばＤＭＲＳ電力及びサウンディング基準信号（ＳＲＳ）電力、及びセル１０１におけるユーザ装置１０５、１０７、１０９の位置の少なくとも１つであってもよい。
【００７５】
ステップ４０３
ネットワークノード１０３は、強力な干渉の影響を受けるユーザ装置１０５の第１の部分集合を特定する。干渉による影響を受けたＵＥ１０５の特定は、ステップ４０２で実行された測定に基づいており、且つ、ステップ４０１で受信された信号に含まれる基準信号に関連してもよい。ユーザ装置１０５の第１の部分集合は、１つ以上のユーザ装置を含みうる。
【００７６】
ステップ４０４
ネットワークノード１０３は、ステップ４０３で特定されたユーザ装置１０５の第１の部分集合に対して最も深刻な干渉を発生させるユーザ装置１０７の第２の部分集合を特定する。ユーザ装置の第２の部分集合は、１つ以上のユーザ装置を含みうる。最も強い、すなわち最も深刻な干渉を特定するために、ネットワークノード１０３は、測定された干渉の大きさ、量又はサイズを閾値と比較してもよい。閾値を上回る干渉を発生させるユーザ装置は、ユーザ装置１０７の第２の部分集合の間で、最も深刻な干渉を発生させるユーザ装置として特定されてもよい。
【００７７】
ステップ４０５
ネットワークノード１０３は、干渉による影響を受けたユーザ装置１０５の第１の部分集合が代替基本系列を割り当てられるべきであることを判定する。換言すると、干渉による影響を受けたユーザ装置１０５は、デフォルト基本系列から代替基本系列に切り替えるか、あるいはデフォルト基本系列を代替基本系列で置換するべきである。また、ＳＧＨは、ＲＲＣシグナリング等により、擬似ランダム生成器を介して３ＧＰＰ技術仕様書ＴＳ３６．２１１  ５．５節において説明されている手順に従って第１の部分集合のいくつか又は全てのユーザ装置１０５に対して更に有効にされるべきである。いくつかの実施形態では、代替基本系列は、干渉しているものとして特定されるかあるいは干渉を発生させると予想されるユーザ装置１０７の第２の部分集合を含む隣接セルにおいて用いられている第２のデフォルト基本系列等の、第２の基本系列に対応する。以前に実行された干渉測定及び位置測定の少なくともいずれかに基づいて、すなわち履歴データに基づいて、干渉を予想できる。
【００７８】
ネットワークノード１０３は、干渉する隣接セルのデフォルト基本系列等の代替基本系列に関する情報を有し、例えば無線リソース制御（ＲＲＣ）シグナリングを介してユーザ装置１０５に代替基本系列を設定する。いくつかの実施形態において、ネットワークノード１０３は、いくつか又は全ての隣接セル、すなわち周辺セルにおいてデフォルト基本系列として使用される基本系列等の複数の代替基本系列に関する情報を有する。代替基本系列に関する情報は、代替基本系列及び場合によってはより多くの代替基本系列を含むテーブルの代替基本系列を指し示す（ポインティングする）基本系列のインデックスであってもよいし、又は実際の基本系列であってもよい。１つ以上の代替基本系列の情報は、Ｘ２シグナリング又は自社開発のインタフェースでのシグナリングを介して、必ずしも常にではないがそれぞれの隣接セルのデフォルト系列であることが最も多い、それぞれで用いられている基本系列の情報をやりとりする隣接セルから受信されてもよいし、ネットワークノード１０３に予め格納されてもよい。隣接セルのデフォルト基本系列の情報は、ネットワークノードに予め格納された企業秘密であってもよいし、標準化されたインタフェースを介してノード間で共有されてもよいし、その両方であってもよい。
ＣｏＭＰシナリオの場合、この情報は、協調ＣｏＭＰノード間のバックホールによって搬送される。したがって、複数の代替基本系列は、ネットワークノード１０３のテーブルに格納され、且つ、インデックスを付けられてもよい。
【００７９】
いくつかの実施形態において、代替基本系列、ユーザ装置固有の基本系列及びデフォルト基本系列は、セル固有の基本系列である。ユーザ装置固有の基本系列は、セル固有のパラメータだけを使用しない、そのユーザ装置に固有の基本系列である。セル固有の基本系列は、セル固有のパラメータに依存し、且つ、セル１０１内に位置する全てのユーザ装置に対してデフォルトで使用される、セル１０１において共通の基本系列である。
【００８０】
上述したように、ＤＭＲＳ及びＳＲＳ等の基準信号は、グループ・インデックス及び系列インデックスによって特徴付けられる。基準信号は基本系列から導出される。循環シフトＣＳは、基本系列から基準信号を導出するために使用されうる。
【００８１】
従来技術において、ＤＭＲＳ用に使用される基本系列は、セル固有のパラメータから導出される。本明細書において開示された実施形態は、これらのパラメータのうちの少なくともいくつかをＵＥに固有にすることを対象としている。基準信号を導出するために、ＣＳ及びＯＣＣが基本系列に適用される。本明細書の実施形態は、基本系列を導出するために初期化パラメータの代替集合を使用することを含む、「代替基本系列」を使用及び選択することを説明する。
【００８２】
ネットワークノード１０３は、複数のユーザ装置１０５、１０７、１０９についての複数の代替基本系列に関する情報を有する場合、ユーザ装置１０５について特定された代替基本系列を選択するか、あるいはＲＲＣシグナリングを介してユーザ装置１０５及びネットワークノード１０３の双方に対して共通になるように事前に定義された代替基本系列の集合から、代替基本系列のインデックスを選択する。
【００８３】
ネットワークノード１０３によって多数の代替基本系列がＵＥ１０５において設定される場合、ノード１０３は、事前に定義された基本系列の集合から、代替基本系列のインデックスをシグナリングすることによって、どの代替基本系列を使用すべきかをＵＥにシグナリングしてもよい。そのようなインデックスは、ＲＲＣ又はスケジューリング・グラント（動的割り当て）によってシグナリングされてもよい。
【００８４】
ＣｏＭＰシナリオにおいて、異なる干渉するセルからの２つの干渉するユーザ装置が同一の帯域幅で協調スケジューリングされる場合、それらのうちの一方のユーザ装置の基本系列は、他方のユーザ装置の基本系列に対応する代替系列が用いられるように切り替えられる。例えばネットワークノード１０３は、隣接セルにおいて使用され、且つ、その結果としてそのセル内の干渉するユーザ装置１０７によっても使用される基本系列の情報を受信している場合、この基本系列を、そのセルの干渉されているユーザ装置１０５に割り当てる。それにより、同一の基本系列が、干渉するセルのそれぞれのユーザ装置１０５及び１０７のために使用される。例えば隣接セルの基本系列の情報は、Ｘ２インタフェースを介して又は自社開発のインタフェースによって、それぞれの隣接ネットワークノード１０３間でやりとりされてもよい。
【００８５】
したがって、ステップ４０４で特定されたような、潜在的に非常に干渉するユーザ装置１０５及び１０７を協調スケジューリングする場合、ネットワークノード１０３、例えばネットワークノード１０３の中央スケジューリングユニットＣＳＵは、協調スケジューリングされたユーザ装置が同一の基本系列を用いるように代替基本系列を割り当てる。
【００８６】
協調スケジューリングされたユーザ装置間の直交性は、ＣＳ及びＯＣＣの少なくともいずれかを適用することで実現されうる。
【００８７】
ユーザ装置が、変化したトラフィック状況及びセル１０１内の移動の少なくともいずれかに起因して、強力なセル間干渉の発生及び受信の少なくともいずれかを止める場合、代替基本系列は再設定されてもよく、すなわち現在使用されている代替基本系列は、別の代替基本系列又は初期のデフォルト基本系列により更新されてもよい。
【００８８】
ステップ４０６
ネットワークノード１０３は、例えばＲＲＣシグナリングにより、第１の部分集合のいくつか又は全てのユーザ装置１０５に対して、いくつかの実施形態において、干渉するユーザ装置１０７の第２の部分集合により使用される基本系列に対応する代替基本系列を割り当てるかあるいは設定する。換言すると、ネットワークノード１０３は、選択された代替基本系列によってユーザ装置１０５を設定する。上述したように、１つ又は複数の代替系列は、準静的な方法で、例えば無線リソース制御（ＲＲＣ）上位層シグナリングによって、ＵＥ１０５において設定される。
【００８９】
デフォルト基本系列から代替系列への切り替えを実行するという情報（indication）は、所与のユーザ装置に対して、スケジューリング情報の一部として動的にシグナリングされるか、あるいは、別個の動作であり、且つ、事前に実行されうるＵＥにおける代替系列のＲＲＣ設定に間違えられないように、ＲＲＣシグナリングを介して準静的にシグナリングされてよい。しかし、ＲＲＣ設定及びＲＲＣが知らせた基本系列の切り替えは、例えば干渉状況を検出したことに応じても、同時に実行されてよく、それによりシグナリング・オーバヘッド及び時間が節約される。動的に示された切り替えにより、選択された基本系列を動的に知らせるために必要となるシグナリング・オーバヘッドが最小限にされ、且つ、スケジューリング割り当てにおける柔軟性が維持されるという利点がもたらされる。
【００９０】
いくつかの実施形態において、スケジューリング情報は、ＵＥ１０５において準静的に設定されている基本系列の部分集合の１つを指し示すインデックス・フィールドを含んでもよい。
【００９１】
所与のユーザ装置に対して代替サブキャリアが設定されない場合、スケジューリング・グラントに含まれる基本系列切替トリガ・フィールドが、シグナリング・オーバヘッドを節約するために動的に除去又は設定解除されてもよい。それによりＵＥは、使用される基本系列についてのＤＣＩフォーマットを解釈し、切替トリガ・フィールド（すなわち、いわゆる動的スイッチング関数）が、適切な場合（すなわち、上述したように基本系列を置換する必要があるか否かに応じて）、ＲＲＣシグナリングを介してネットワークにより起動されるか、停止されるか、又はその両方が行われる。例えばユーザ装置がセルエッジの近くに移動する場合、隣接セル干渉のリスクが高まることに起因して（すなわち、トラフィックの状況又は位置が変化する場合に）、当該ユーザ装置に対してそのような必要性が生じうる。
【００９２】
また、１つ又はいくつかの代替基本系列が所与のユーザ装置に対して設定される場合、これらの系列のうちの１つへの切り替えは、いくつかの実施形態では、ＤＭＲＳ用の特定のＣＳ／ＯＣＣビットの組合せに対応するスケジューリング・グラントに含まれるデータビットの形式の、ある特定のコードポイントによって、動的にトリガされてもよい。ユーザ装置の部分集合のみ、及び典型的にはセルエッジのユーザ装置のみが、１つ以上の代替基本系列を用いて設定されることが期待されるものと考えると、ＣＳ／ＯＣＣ割り当ての柔軟性のそのような制限は、受け入れ可能である。
【００９３】
ステップ４０７
ユーザ装置１０５は、当該ユーザ装置のデフォルト基本系列から代替基本系列に切り替える。
【００９４】
本明細書の実施形態では、セル内のある特定のユーザ装置によって用いられている基本系列が、セル固有の基本系列（例えばデフォルトの基本系列）から、ＵＥ固有の基本系列（例えば代替系列）に切り替えられる。代替系列のインデックスは、セル毎に又はユーザ装置毎に構成されうる。
【００９５】
他のＤＭＲＳパラメータが、ＣＳホッピング及びＳＧＨ用の擬似ランダム系列等の基本系列に依存する場合、そのようなパラメータも、動的に知らされた系列に従って調整される。
【００９６】
ネットワークノード１０３は、選択された代替基本系列に従って基準信号を受信しうる。代替基本系列の設定及びスケジューリングの少なくともいずれかは、ネットワークノード１０３におけるように、１つのネットワークノードにおいて実行されてもよいが、例えばＣｏＭＰシナリオの場合には、他のいくつかのノードにおいて受信されてもよい。
【００９７】
ステップ４０８
ネットワークノード１０３は、代替基本系列に基づいてネットワークノード１０３とユーザ装置１０５との間のチャネルのチャネル推定を実行する。
【００９８】
例えば、ＣｏＭＰシナリオ等において新しいユーザ装置が協調セルに入った／協調セルから出た場合、ステップ４０２における測定が十分に更新されない場合、又はそれらの両方の場合、４０１からの上述のステップは繰り返される。４０１からのステップは周期的に繰り返されてもよい。
【００９９】
図５は、通信ネットワーク１００において基本系列を処理する、ネットワークノード１０３における方法の実施形態を説明するフローチャートである。上述したように、ネットワークノード１０３は、１つ以上のユーザ装置１０５の第１の集合と通信するように構成される。いくつかの実施形態において、ネットワークノード１０３は、無線チャネル１０２を介して第１のユーザ装置１０５と通信するように構成される。ネットワークノード１０３は、デフォルト基本系列に関する情報及び１つ以上の代替基本系列に関する情報を有する。いくつかの実施形態において、判定された代替基本系列に関する情報は、判定された代替基本系列、又は代替基本系列を含むテーブルを指し示すインデックスを含む。テーブルは、ネットワークノード１０３のコンピュータ可読メモリに格納されてもよい。いくつかの実施形態において、ネットワークノード１０３はセル１０１をサービングする。ネットワークノード１０３は、セル１０１に位置する第１のユーザ装置１０５と通信するように構成されうる。いくつかの実施形態において、代替基本系列はユーザ装置固有の基本系列であり、デフォルト基本系列はセル固有の基本系列である。
【０１００】
本方法の実施形態は、ネットワークノード１０３により実行される以下のステップを含む。
【０１０１】
ステップ５０１
このステップは、図４のステップ４０１及び４０２に対応する。
【０１０２】
いくつかの実施形態において、ネットワークノード１０３は、第１のユーザ装置１０５から受信した基準信号等の信号を評価する。
【０１０３】
ステップ５０１ａ
このステップは、図４のステップ４０２に対応し、ステップ５０１のサブステップである。
【０１０４】
いくつかの実施形態において、ネットワークノード１０３は、信号に含まれる、ＳＲＳ又はＤＭＲＳ等の基準信号と関連付けられた電力を測定する。当該電力は、電力測定のための任意の適切な測定技術を使用して測定される。例えば、当該技術分野において知られている基準信号受信電力（ＲＳＲＰ）を測定する技術が使用されてもよい。
【０１０５】
ステップ５０１ｃ
このステップは、図４のステップ４０２に対応し、ステップ５０１のサブステップである。ステップ５０１ｃは、ステップ５０１ａの後又はステップ５０１ａの代わりに実行される。
【０１０６】
いくつかの実施形態において、ネットワークノード１０３は、通信ネットワーク１００における第１のユーザ装置１０５の位置を取得する。ネットワークノード１０３は、当技術分野において知られている任意の適切な位置測定技術を使用することで位置を取得してもよいし、ネットワーク１００内の別のノード（例えばユーザ装置１０５自体）から位置を受信してもよいし、あるいは位置に関する所定の情報又はネットワーク１００内の別のノードから受信した情報を使用して位置を算出してもよい。
【０１０７】
ステップ５０１ｄ
このステップは、図４のステップ４０２に対応し、ステップ５０１のサブステップである。ステップ５０１ｄは、ステップ５０１ａの後又はステップ５０１ｃの後、あるいはステップ５０１ａの代わり、ステップ５０１ｃの代わり又はステップ５０１ａ及びステップ５０１ｃの代わりに実行される。
【０１０８】
いくつかの実施形態において、ネットワークノード１０３は、復調基準信号（ＤＭＲＳ）又はサウンディング基準信号（ＳＲＳ）等の基準信号と関連付けられた電力、及びユーザ装置の位置の少なくともいずれかが、それぞれの閾値を下回るかあるいはそれぞれの閾値の範囲内にあることを判定する。これは、基準信号と関連付けられた電力及びユーザ装置の位置の少なくともいずれかをそれぞれの閾値と比較することによって実行されうる。それぞれの閾値は、任意の適切なサイズであってもよく、ＲＳ電力メトリック、セルエッジまたは地理的境界までの距離のメトリックであってもよい。
【０１０９】
ステップ５０２
このステップは、図４のステップ４０３及びステップ４０４に対応する。
【０１１０】
いくつかの実施形態において、評価された信号に基づいて、ネットワークノード１０３は、第１のユーザ装置１０５が通信ネットワーク１００において干渉を受けることを特定する。
【０１１１】
ステップ５０３
このステップは、図４のステップ４０３及びステップ４０４に対応する。
【０１１２】
いくつかの実施形態において、評価された信号に基づいて、ネットワークノード１０３は、第１のユーザ装置１０５が受ける干渉を発生させる第２のユーザ装置１０７を特定する。第２のユーザ装置１０７は第２の基本系列を用いており、代替基本系列は当該第２の基本系列に相当する。
【０１１３】
ステップ５０４
このステップは、図４のステップ４０３及びステップ４０４に対応する。
【０１１４】
いくつかの実施形態において、評価された信号に基づいて、ネットワークノード１０３は、第１のユーザ装置１０５が受ける干渉を発生させる第３のユーザ装置１０９を特定する。
【０１１５】
ステップ５０５
このステップは、図４のステップ４０５に対応する。
【０１１６】
ネットワークノード１０３は、第１のユーザ装置１０５について、代替基本系列がデフォルト基本系列を置換すべきであることを判定する。
【０１１７】
いくつかの実施形態において、代替基本系列がデフォルト基本系列を置換すべきであることを判定するステップは、ユーザ装置１０５が受けた干渉に関する情報に基づいている。
【０１１８】
いくつかの実施形態において、代替基本系列がデフォルト基本系列を置換すべきであると判定するステップは、ステップ５０２で特定された干渉に基づいている。
【０１１９】
ステップ５０６
このステップは、図４のステップ４０６に対応する。
【０１２０】
ネットワークノード１０３は、判定された代替基本系列に関する情報を第１のユーザ装置１０５に送出する。
【０１２１】
いくつかの実施形態において、代替基本系列に関する情報は、スケジューリング情報を介して第１のユーザ装置１０５に送出される。
【０１２２】
ステップ５０７
このステップは、図４のステップ４０６に対応する。
【０１２３】
いくつかの実施形態において、ネットワークノード１０３は、第２の基本系列に対応する判定された代替基本系列に関する情報を、第３のユーザ装置１０９に送出する。
【０１２４】
ステップ５０８
いくつかの実施形態において、ネットワークノード１０３は、第１のユーザ装置１０５と第３のユーザ装置１０９とを協調スケジューリングする。第１のユーザ装置１０５及び第３のユーザ装置１０９が同一のセル１０１内に位置する場合、これは、例えばＭＵ−ＭＩＭＯシナリオについてのものであってよい。
【０１２５】
ステップ５０９
いくつかの実施形態において、ネットワークノード１０３は、代替基本系列に従って基準信号をユーザ装置１０５から受信する。
【０１２６】
ステップ５１０
いくつかの実施形態において、ネットワークノード１０３は、代替固有基本系列に基づいてネットワークノード１０３と第１のユーザ装置１０５との間の無線チャネル１０２を推定する。
【０１２７】
通信ネットワーク１００において基本系列を処理するための図５及び図９に示される実施形態の方法ステップを実行するために、ネットワークノード１０３は、図６に示されるような構成を備える。ネットワークノード１０３は、第１のユーザ装置１０５と通信するように構成される。いくつかの実施形態において、ネットワークノード１０３は、無線チャネル１０２を介して第１のユーザ装置１０５と通信するように構成される。上述したように、ネットワークノード１０３は、デフォルト基本系列及び代替基本系列に関する情報を有する。いくつかの実施形態において、ネットワークノード１０３はセル１０１をサービングする。ネットワークノード１０３は、セル１０１内の第１のユーザ装置１０５と通信するように構成される。いくつかの実施形態において、代替基本系列はユーザ装置固有の基本系列であり、デフォルト基本系列はセル固有の基本系列である。
【０１２８】
ネットワークノード１０３は、第１のユーザ装置１０５について、代替基本系列がデフォルト基本系列を置換すべきであることを判定するように構成された判定ユニット６０１を備える。いくつかの実施形態において、判定ユニット６０１は、ユーザ装置１０５が受けた干渉に関する情報に基づいて、代替基本系列がデフォルト基本系列を置換すべきであることを判定するように更に構成される。いくつかの実施形態において、判定ユニット６０１は、特定された干渉に基づいて、代替基本系列がデフォルト基本系列を置換すべきであることを判定するように更に構成される。
【０１２９】
ネットワークノード１０３は、判定された代替基本系列に関する情報を第１のユーザ装置１０５に送出するように構成された送出ユニット６０２を更に備える。いくつかの実施形態において、送出ユニット６０２は、スケジューリング情報を介して、代替基本系列に関する情報を第１のユーザ装置１０５に送出するように構成される。いくつかの実施形態において、送出ユニット６０２は、判定された代替基本系列に関する情報を第３のユーザ装置１０９に送出するように構成される。代替基本系列は第２の基本系列に対応する。いくつかの実施形態において、判定された代替基本系列に関する情報は、判定された代替基本系列、又は代替基本系列を含むテーブルを指し示すインデックスを含む。
【０１３０】
いくつかの実施形態において、ネットワークノード１０３は処理ユニット６０５を更に備える。いくつかの実施形態において、処理ユニット６０５は、第１のユーザ装置１０５から受信した信号を評価するように構成される。処理ユニット６０５は、評価された信号に基づいて、第１のユーザ装置１０５が通信ネットワーク１００において干渉を受けることを特定するように更に構成されてもよい。いくつかの実施形態において、処理ユニット６０５は、評価された信号に基づいて、第１のユーザ装置１０５が受ける干渉を発生させる第２のユーザ装置１０７を特定するように更に構成される。第２のユーザ装置１０７は第２の基本系列を用いてもよいし、代替基本系列は第２の基本系列に対応してもよい。
【０１３１】
いくつかの実施形態において、処理ユニット６０５は、信号に含まれる基準信号と関連付けられた電力、及び当該信号に含まれるＳＲＳと呼ばれるサウンディング基準信号と関連付けられた電力の少なくともいずれかを測定するか、通信ネットワーク１００における第１のユーザ装置１０５の位置を取得するか、又はその両方を行うように更に構成される。処理ユニット６０５は、ＳＲＳ又はＤＭＲＳ等の基準信号と関連付けられた電力及び位置の少なくともいずれかが閾値を下回ることを判定するように更に構成されてもよい。
【０１３２】
いくつかの実施形態において、処理ユニット６０５は、評価された信号に基づいて、第１のユーザ装置１０５が受けた干渉を発生させる第３のユーザ装置１０９を特定するように構成される。処理ユニット６０５は、第１のユーザ装置１０５と第３のユーザ装置１０９とを協調スケジューリングするように構成されてもよい。
【０１３３】
いくつかの実施形態において、処理ユニット６０５は、代替固有基本系列に基づいて、ネットワークノード１０３と第１のユーザ装置１０５との間の無線チャネル１０１を推定するように構成される。
【０１３４】
いくつかの実施形態において、ネットワークノード１０３は、代替基本系列に従って基準信号をユーザ装置１０５から受信するように構成された受信ユニット６０７を備える。
【０１３５】
次に、上述の方法をユーザ装置１０５の観点から説明する。図７は、通信ネットワーク１００において基本系列を処理するユーザ装置１０５における方法の実施形態を説明するフローチャートである。上述したように、第１のユーザ装置１０５は、ネットワークノード１０３と通信するように構成される。第１のユーザ装置１０５はデフォルト基本系列を用いる。いくつかの実施形態において、ユーザ装置１０５はセル１０１内に位置する。セル１０１は、ネットワークノード１０３によってサービングされる。上述したように、いくつかの実施形態において、代替基本系列はユーザ装置固有の基本系列であり、デフォルト基本系列はセル固有の基本系列である。いくつかの実施形態において、１つ以上の代替基本系列に関する情報は、ネットワークノード１０３から動的又は準静的に受信される。本方法は、ユーザ装置１０５により実行される以下のステップを含む。
【０１３６】
ステップ７０１
このステップは、図４のステップ４０１に対応する。
【０１３７】
いくつかの実施形態において、ユーザ装置１０５は信号をネットワークノード１０３に送出する。
【０１３８】
ステップ７０２
このステップは、図４のステップ４０６に対応する。
【０１３９】
ユーザ装置１０５は、代替基本系列がデフォルト基本系列を置換すべきであるという情報をネットワークノード１０３から受信する。置換することにより、ユーザ装置がデフォルト基本系列ではなく代替基本系列を用いるべきであることを意味する。いくつかの実施形態において、置換は、デフォルト基本系列より代替基本系列を優先させる（override）ことを意味する。
【０１４０】
ステップ７０３
ユーザ装置１０５は、デフォルト系列を代替基本系列で置換する。これにより、ユーザ装置１０５は、デフォルト基本系列ではなく代替基本系列を用いる。
【０１４１】
通信ネットワーク１００において基本系列を処理する図７及び図１０に示される実施形態の方法ステップを実行するために、ユーザ装置１０５は、図８に示されるような構成を備える。ユーザ装置１０５は、ネットワークノード１０３と通信するように構成される。ユーザ装置１０５はデフォルト基本系列を採用する。いくつかの実施形態において、ユーザ装置１０５はセル１０１内に位置する。セル１０１は、ネットワークノード１０３によってサービングされる。
【０１４２】
ユーザ装置１０５は、代替基本系列がデフォルト基本系列を置換すべきであるという情報をネットワークノード１０３から受信するように構成された受信ユニット８０１を備える。いくつかの実施形態において、代替基本系列に関する情報は、ネットワークノード１０３から動的に受信される。
【０１４３】
いくつかの実施形態において、代替基本系列はユーザ装置固有の基本系列であり、デフォルト基本系列はセル固有の基本系列である。
【０１４４】
ユーザ装置１０５は、デフォルト系列を代替基本系列で置換するように構成された処理ユニット８０５を更に備える。
【０１４５】
いくつかの実施形態において、ユーザ装置１０５は、信号をネットワークノード１０３に送出するように構成された送出ユニット８０７を備える。
【０１４６】
図９は、通信ネットワーク１００において基本系列を処理するネットワークノード１０３における方法の他の実施形態を説明するフローチャートである。上述したように、ネットワークノード１０３は、１つ以上の第１のユーザ装置１０５の集合と通信するように構成される。ネットワークノード１０３は、セル１０１をサービングし、無線チャネル１０２を介してセル１０１内に位置する第１のユーザ装置１０５と通信するように構成される。ネットワークノード１０３は、デフォルト基本系列に関する情報及び１つ以上の代替基本系列に関する情報を有する。いくつかの実施形態において、代替基本系列に関する情報は、代替基本系列、及び代替基本系列を含むテーブルを指し示すインデックスを含む。当該テーブルは、ネットワークノード１０３のコンピュータ可読メモリに格納されてもよい。いくつかの実施形態において、代替基本系列はユーザ装置固有の基本系列であり、デフォルト基本系列はセル固有の基本系列である。いくつかの実施形態において、１つ以上の代替基本系列に関する情報は、例えばＸ２インタフェース又は自社開発のインタフェースを介して１つ以上の隣接セルからシグナリングされることで受信される。ネットワークノード１０３は、いくつかの実施形態において、無線リソース制御、（ＲＲＣ）シグナリング等の上位層シグナリングを介して、１つ以上の代替基本系列で第１のユーザ装置１０５を更に設定してもよい。いくつかの実施形態において、ネットワークノード１０３は、第１のユーザ装置１０５から受信した信号を評価する。第１のＵＥ１０５において代替基本系列を設定することは、いくつかの実施形態では、受信した信号を評価する際に第１のＵＥ１０５についての実際の干渉又は干渉の可能性を検出することに応じてネットワークノード１０３によって開始されてもよいし、あるいは各ユーザ装置がサービングセルに入る際に各ユーザ装置に対してデフォルトで実行されてもよい。
【０１４７】
本方法の実施形態は、ネットワークノード１０３により実行される以下のステップ９０１及び９０２を含む。
【０１４８】
ステップ９０１
ネットワークノード１０３は、セル固有であるデフォルト基本系列を代替基本系列で置換することを判定する。
【０１４９】
いくつかの実施形態では、セル１０１内の全てのＵＥではなく当該セル内の１つ以上の選択ＵＥ１０５のみが代替基本系列を設定される一方で、当該セル内の残りのＵＥがそのままデフォルト基本系列を用いるために、代替基本系列はＵＥに固有である。セルの２つ以上のＵＥが同一の代替系列を用いる場合でさえ、この系列は、サービングセルのセル固有のパラメータに依存しないために依然としてＵＥに固有であり、これは、セル固有のデフォルト系列の場合に当てはまる。
【０１５０】
上記判定は、いくつかの実施形態では、第１のユーザ装置１０５が通信ネットワーク１００において干渉を受けることに基づいてもよい。
【０１５１】
上記判定は、ある特定の実施形態において、第１のユーザ装置１０５が通信ネットワーク１００において干渉を受ける尤度又は可能性を有すると判定されることに基づいてもよい。この可能性又は尤度は、いくつかの実施形態に従って、ＵＥ１０７、１０９の第２の集合及び第３の集合の少なくともいずれか等の、干渉するＵＥ又は干渉する可能性のあるＵＥを含む隣接セルとの関係でＵＥ１０５の位置を定めることで判定されてもよい。履歴干渉データは、第１のＵＥ１０５の位置の知識に基づいて、すなわちそれ以前のＵＥについての位置又は領域の干渉履歴統計情報に基づいて、干渉の尤度又は確率を定めるために、ネットワークノード１０３により更に又は代わりに使用されてもよい。
【０１５２】
ステップ９０２
ネットワークノード１０３は、代替基本系列がデフォルト基本系列を置換すべきであるという情報を第１のＵＥ１０５に送出する。
【０１５３】
情報を送出は、いくつかの実施形態では、スケジューリング送信（例えば、スケジューリング・グラント・シグナリング）に情報を含めること、又はＲＲＣを介して情報をシグナリングすることを含んでもよい。それにより、実際の代替基本系列又は基本系列のインデックスが、スケジューリング送信又はＲＲＣ送信に含まれてもよい。当該インデックスは、ネットワークノード１０３によって第１のＵＥ１０５において事前に設定されている１つ以上の代替基本系列のテーブルに含まれる代替系列を指し示している。
【０１５４】
いくつかの実施形態において、切替トリガ・フィールドは、トリガする（すなわち、切り替えを起動するかあるいはデフォルト基本系列を代替系列で置換する）ために、シグナリング又は送信されるスケジューリング情報に含められる。その際、ＤＭＲＳ用の特定のＣＳ／ＯＣＣの組合せに対応するスケジューリング・グラントに含まれるこのフィールドに、ある特定のコードポイントをデータビットの形式で含めることによって、切り替えが動的にトリガされてもよい。
【０１５５】
図１０は、通信ネットワーク１００において基本系列を処理するユーザ装置１０５における方法の他の実施形態を説明するフローチャートである。上述したように、第１のユーザ装置１０５は、ネットワークノード１０３と通信するように構成される。第１のユーザ装置１０５は、デフォルト基本系列を用い、ネットワークノード１０３によってサービングされるセル１０１内に位置している。いくつかの実施形態において、第１のＵＥ１０５は、無線リソース制御（ＲＲＣ）シグナリング等の上位層シグナリングを介して、１つ以上の代替基本系列を設定される。第１のＵＥ１０５における代替基本系列の設定は、いくつかの実施形態では、受信した信号を評価する際に第１のＵＥ１０５についての実際の干渉又は干渉の可能性を検出することに応じてネットワークノード１０３によって動的に開始されてもよい。いくつかの実施形態において、信号は、評価のためにネットワークノード１０３に送出される。
【０１５６】
本方法の実施形態は、ユーザ装置１０５により実行される以下のステップ１００１及び１００２を含む。
【０１５７】
ステップ１００１
ユーザ装置１０５は、代替基本系列の１つがデフォルト基本系列を置換すべきであるという情報をネットワークノード１０３から受信する。置換により、ユーザ装置がデフォルト基本系列ではなく代替基本系列を用いるべきであることを意味する。いくつかの実施形態において、置換は、デフォルト基本系列代替基本系列を優先させることを意味する。
【０１５８】
デフォルト基本系列を代替基本系列で置換するための情報は、いくつかの実施形態では、ネットワークノード１０３からスケジューリング・グラントで又はＲＲＣを介してシグナリングされる。
【０１５９】
ステップ１００２
ユーザ装置１０５は、デフォルト系列を代替基本系列で置換する。これにより、ユーザ装置１０５は、デフォルト基本系列ではなく代替基本系列を用いる。
【０１６０】
通信ネットワーク１００において基本系列を処理する本発明のメカニズムは、本明細書の実施形態の機能を実行するコンピュータプログラムコードと共に、図８に示されたユーザ装置１０５の処理ユニット８０５及び図６に示されたネットワークノード１０３の処理ユニット６０５等の１つ以上のプロセッサによって実装されてもよい。プロセッサは、デジタル信号プロセッサ（ＤＳＰ）、特定用途向け集積回路（ＡＳＩＣ）プロセッサ、フィールドプログラマブルゲートアレイ（ＦＰＧＡ）プロセッサ又はマイクロプロセッサ等であってもよい。上述のプログラムコードは、例えばユーザ装置１０５及びネットワークノード１０３の少なくともいずれかにロードされる際に本明細書の実施形態を実行するコンピュータプログラムコードを担持するデータ記憶媒体の形態のコンピュータプログラムとして更に提供されてもよい。そのような記憶媒体の１つは、ＣＤ  ＲＯＭディスクの形態であってもよい。しかし、上述のプログラムコードは、メモリスティック等の他のデータ記憶媒体により実現可能である。更にコンピュータプログラムコードは、サーバ上で純正のプログラムコートとして提供され、且つ、リモートでユーザ装置１０５及びネットワークノード１０３の少なくともいずれかにダウンロードされてもよい。
【０１６１】
尚、本明細書の実施形態を例示するために３ＧＰＰ  ＬＴＥ−Ａｄｖａｎｃｅｄからの用語が本開示において使用されているが、これは、本明細書の実施形態の範囲を上述のシステムだけに限定するものとして理解されるべきではない。ＷＣＤＭＡ、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ウルトラモバイルブロードバンド（ＵＭＢ）及びＧＳＭを含む他の無線システムは、本開示内の範囲に含まれた概念を利用することで更に利点を得るだろう。
【０１６２】
また、基地局及びＵＥ等の用語は、限定するものではないと考えられるべきであり、特にそれら２つの間のある特定の階層関係を示さない。一般に、「基地局」はデバイス１、「ＵＥ」はデバイス２と考えることができ、これらの２つのデバイスは、何らかの無線チャネルを介して互いに通信する。
【０１６３】
本明細書の実施形態は上述の好適な実施形態に限定されない。種々の代替例、変形及び均等物が使用されてもよい。したがって、上述の実施形態は、添付の特許請求の範囲により規定される実施形態の範囲を限定するものとして解釈されるべきではない。
【０１６４】
本明細書において使用される場合の「備える」という用語は、記載される特徴、数字、ステップ又は構成要素の存在を特定するために利用されるが、１つ以上の他の特徴、数字、ステップ、構成要素又はそれらの集合の存在あるいは追加を除外しないことが強調されるべきである。また、単数形の要素は複数形のそのような要素の存在を除外しない。
【０１６５】
添付の特許請求の範囲において規定された方法のステップは、本明細書の実施形態から逸脱せずに、特許請求の範囲において示されるのとは別の順序で実行されてもよいことが更に強調されるべきである。
【図１】
0005747125.tif 000002
【図１ａ】
0005747125.tif 000003
【図２】
0005747125.tif 000004
【図３】
0005747125.tif 000005
【図４】
0005747125.tif 000006
【図５】
0005747125.tif 000007
【図６】
0005747125.tif 000008
【図７】
0005747125.tif 000009
【図８】
0005747125.tif 000010
【図９】
0005747125.tif 000011
【図１０】
0005747125.tif 000012